(57)【要約】【課題】帳票が薄紙の場合でもジャムを起こすことなく姿勢を整えて搬送する。【解決手段】この帳票移動式ＯＣＲ装置は、搬送路の一部として下り方向に傾斜した搬送路６１（下り斜面）を備える一方、搬送路６１（下り斜面）を滑降した帳票Ｐの先端部を係止して帳票Ｐの姿勢を整える係止部６４を備える。【選択図】図３
2010208830.tif 000002
【特許請求の範囲】
【請求項１】
紙葉類を搬送路に沿って搬送する搬送手段と、
前記搬送手段により搬送される紙葉類を自重により滑降させるために、前記搬送路の一部として設けられた下り斜面と、前記下り斜面の底部に設置され、前記搬送路に出し入れ可能な係止部とを有し、前記下り斜面を滑降させ、前記係止部に前記紙葉類を衝突させることにより前記紙葉類の姿勢を整える斜行修正機構と
を具備することを特徴とする紙葉類搬送装置。
【請求項２】
前記斜行修正機構は、
前記下り斜面を滑降する前記紙葉類を検知するセンサを具備し、
前記センサの検知結果に基づいて前記搬送路上に前記係止部を突出させ、前記係止部に前記紙葉類を衝突させて前記紙葉類の姿勢を整えることを特徴とする請求項１記載の紙葉類搬送装置。
【請求項３】
前記係止部は、
回転可能な回転軸と、
前記回転軸に設けられた突起部と
を具備し、
前記回転軸を回転させることで前記突起部を前記搬送路上に突出させることを特徴とする請求項１記載の紙葉類搬送装置。
【請求項４】
前記下り斜面は、
前記紙葉類の滑降方向と直交する方向に列設された複数の軸と、
前記複数の軸それぞれに回動自在に設けられた自由回転ローラと
を具備することを特徴とする請求項１記載の紙葉類搬送装置。
【請求項５】
前記下り斜面を滑降する紙葉類に向けて送風する送風手段を具備することを特徴とする請求項１記載の紙葉類搬送装置。
【発明の詳細な説明】
【技術分野】
【０００１】
本発明は、搬送対象の紙葉類、例えば帳票などの姿勢を修正しつつ搬送する紙葉類搬送装置に関する。
【背景技術】
【０００２】
長方形の帳票などの紙葉類を高速に搬送しながら帳票から情報を読み取る帳票移動式の光学式文字読取装置（以下「ＯＣＲ装置」と称す）がある。このＯＣＲ装置では、ホッパ台に積載された大量の帳票を、ローラとモータなどで構成された給紙部が帳票を引き込むことで自動給紙し搬送ベルトやローラなどで搬送路上を高速に搬送しつつＣＣＤラインセンサなどの光学的読取部で帳票から画像を読み取り、その読み取った画像から文字認識処理を行って、文字認識結果のデータ（画像データとテキストデータ）をハードディスク装置などに保存、または制御用のコンピュータへ送り、データ処理を行う。
【０００３】
通常、ＯＣＲ装置の場合、給紙部により取込まれた帳票は読取部まで搬送されていくが、給紙された際、給紙部の機械的な影響により帳票が斜行する場合がある。斜行したまま搬送されて読取部で画像が読み取られると、斜行した状態でのイメージ読取となり、読み取りイメージの品質の劣化や文字認識精度の低下などの問題が生じる可能性がある。
【０００４】
搬送中の帳票の斜行を修正する技術として、例えば読取前の搬送路上に媒体ストッパなどの衝立を設けて、斜行した帳票を平行に修正する機構が提案されている（例えば特許文献１参照）。
【先行技術文献】
【特許文献】
【０００５】
【特許文献１】特開２００４−１１５１９８号公報
【発明の概要】
【発明が解決しようとする課題】
【０００６】
しかしながら、従来の場合、帳票はローラやベルトなどにより力が機械的に加えられた状態で衝立に当たるため、紙厚の厚い紙葉類は、衝立に当たったときの衝撃による傷みは少ないものの、紙厚の薄い帳票は折れ曲がりやジャムなどの搬送障害を引き起こす可能性がある。
【０００７】
本発明はこのような課題を解決するためになされたもので、搬送中に斜行した紙葉類の紙厚の厚さによらず、搬送障害を起こすことがなく、斜行した紙葉類の姿勢を整えて後段へ搬送することができる紙葉類搬送装置を提供することを目的とする。
【課題を解決するための手段】
【０００８】
上記の課題を解決するために本発明の紙葉類搬送装置は、紙葉類を搬送路に沿って搬送する搬送手段と、前記搬送手段により搬送される紙葉類を自重により滑降させるために、前記搬送路の一部として設けられた下り斜面と、前記下り斜面の底部に設置され、前記搬送路に出し入れ可能な係止部とを有し、前記下り斜面を滑降させ、前記係止部に前記紙葉類を衝突させることにより前記紙葉類の姿勢を整える斜行修正機構とを具備することを特徴とする。
【発明の効果】
【０００９】
本発明によれば、搬送中に斜行した紙葉類の紙厚の厚さによらず、搬送障害を起こすことがなく、斜行した紙葉類の姿勢を整えて後段へ搬送することができる。
【図面の簡単な説明】
【００１０】
【図１】本発明の第１実施形態の帳票移動式ＯＣＲ装置の概要構成を示す図である。
【図２】第１実施形態の帳票移動式ＯＣＲ装置の制御系を示す図である。
【図３】第１実施形態の帳票移動式ＯＣＲ装置の給紙・搬送部（斜行修正機構）を示す図である。
【図４】係止部の一例を示す図である。
【図５】係止部の他の例を示す図である。
【図６】斜行した状態の帳票を示す図である。
【図７】斜行が修正された帳票を示す図である。
【図８】第２実施形態の帳票移動式ＯＣＲ装置の概要構成を示す図である。
【図９】第３実施形態の帳票移動式ＯＣＲ装置の概要構成を示す図である。
【図１０】第４実施形態の帳票移動式ＯＣＲ装置の概要構成を示す図である。
【図１１】第４実施形態の帳票移動式ＯＣＲ装置において斜行した状態の帳票を示す図である。
【図１２】第４実施形態の帳票移動式ＯＣＲ装置において斜行が修正された帳票を示す図である。
【図１３】第５実施形態の帳票移動式ＯＣＲ装置の概要構成を示す図である。
【図１４】第６実施形態の帳票移動式ＯＣＲ装置の概要構成を示す図である。
【図１５】第６実施形態の帳票移動式ＯＣＲ装置の動作を示す図である。
【発明を実施するための形態】
【００１１】
以下、本発明の実施の形態について図面を参照しながら説明する。図１は本発明の第１実施形態に係る帳票移動式の光学式文字読取装置（以下、帳票移動式ＯＣＲ装置と称す）１の構成を示すブロック図である。図１に示すように、第１実施形態の帳票移動式ＯＣＲ装置１は、ソータ２０と、ＯＣＲ装置本体３０と、ホストコンピュータとしての制御ホスト１００とから構成されている。
【００１２】
ソータ２０は、垂直方向の搬送路２２、搬送ローラ２４、フラッパ２５、少なくとも２段以上のスタッカを有するスタッカ部２３、各部の駆動部（図示せず）等を備えている。
搬送路２２は、ＯＣＲ装置本体３０から水平方向の搬送路３３で搬送されてきた帳票Ｐをスタッカ部２３に搬送するベルト、その他のガイド板やローラ等で構成される。
【００１３】
搬送ローラ２４は、搬送路２２に複数配置され、ＯＣＲ装置本体３０から供給される帳票Ｐを順次目標のスタッカに搬送する。また、搬送ローラ２４は例えば一方向クラッチによって一定方向に回転し、回転制御されるモータ等の駆動系により回転される。駆動系は、コントローラ３９によって動作制御される。
【００１４】
フラッパ２５は、分岐ゲートであり、搬送路２２の分岐位置に設けられる。フラッパ２５は、リレー回路等によって目標のスタッカへ搬送方向を切り替え、帳票Ｐを振り分ける。リレー回路は、コントローラ３９により動作が制御される。なお、ソータ２０は、複数連結して利用される場合もある。
【００１５】
制御ホスト１００は、ＯＣＲアプリケーションソフトウェアプログラムを実装したコンピュータである。すなわち、制御ホスト１００は、ＯＣＲアプリケーションソフトウェアプログラムを起動し、ＯＣＲ装置本体３０により読み取られた帳票Ｐの画像の認識結果に基づいて、帳票Ｐの排出先のスタッカ指定やナンバリングデータの印字が、読み取り処理された帳票毎に行われるように、ＯＣＲ装置本体３０に指示を与える。
【００１６】
この帳票移動式ＯＣＲ装置１の制御系は、図２に示すように、コントローラ３９と、このコントローラ３９にバスを介して接続された駆動部４４〜４７、印字部３２、操作部４０、センサ７，３２，３３および光学読取部３４等を有している。コントローラ３９は、ＣＰＵ４１、メモリ４２およびインターフェース４３を有している。
【００１７】
メモリ４２には、帳票Ｐの搬送制御のためのプログラムが格納されている。またメモリ４２は、光学読み取りの際のデータ記憶領域として機能する。ＣＰＵ４１は、メモリ４２の制御プログラムにより各駆動部４４〜４６などを制御して帳票Ｐを搬送する。
インターフェース４３には、この装置内の各部からの内部バスが接続されている。各部とは、光学読取部３４、操作部４０、モータ、ベルト、ギヤを含む駆動部４４〜４７、帳票センサＳ１，Ｓ２、５１〜６０、印字部３２等である。
【００１８】
センサ７，６３は、搬送路３３に沿って点在して配置された例えば発光部と受光部とを搬送路３３を上下方向にまたいで配置した赤外線センサ等の光センサである。各センサ７，６３は、搬送路３３上を搬送される帳票Ｐを検出し、「明」、「暗」状態をコントローラ３９に通知する。
【００１９】
センサ７，６３は、発光部から発光された光が受光部で受光されると、「明」信号をコントローラ３９へ通知し、搬送されてきた帳票Ｐによって光が遮断されると、「暗」信号を通知する。センサ７は、帳票Ｐが給紙されたことと、給紙された帳票Ｐの長さをコントローラ３９が確認するためのセンサである。センサ６３は、搬送路６１を滑降する帳票Ｐを検出するためのセンサである。
【００２０】
なお、第１実施形態では、搬送される帳票Ｐの位置を検出するためのセンサとして、代表的な２つのセンサ７，６３しか示していないが、この他にもセンサは適宜配置され、例えば搬送路３３の各部（光学読取部３４の前後、フラッパ２５の前後、スタッカ部２３等）に配置される。
【００２１】
コントローラ３９は、センサ７，６３からの通知信号により帳票Ｐが各センサの位置に達したことを検出すると、ホッパ２、ローラ３，４，５，８、係止部６４およびフラッパ２５等の駆動制御を行う。なお、コントローラ３９は、搬送路を横切る方向に設置された２つのセンサ６３の通知信号の時間差と、予め設定されている帳票Ｐの搬送速度とに基づいて、搬送方向Ｘに対する帳票Ｐの傾き（スキュー）量を算出する。
【００２２】
ＯＣＲ装置本体３０は、印字部３２と、光学読取部３４と、装置本体の前面に設けられた操作部４０と、給紙・搬送部５０と、コントローラ３９等を備えている。なお、帳票Ｐは、搬送中に位置が変るため、その時々の搬送順に応じて帳票Ｐ１，Ｐ２などと表すものとする。
【００２３】
印字部３２は、ＯＣＲ装置本体３０の帳票排出口に近い位置に搬送路３１を介し、印字ヘッドとプラテンローラとが対向して設けられている。印字部３２は、光学読取部３４で情報が正常に読み取られた帳票Ｐに対して、例えば整理番号や処理済みを示すマーク等を印字する。
【００２４】
搬送路３３は、上下に対向した搬送ローラ８，１０と、搬送ローラ８に架けられたベルト９を有している。光学読取部３４は、給紙・搬送部５０の下流の水平な搬送路３３の位置に設けられている。光学読取部３４は、帳票Ｐから画像を読み取る画像読取ユニットであり、例えば光源３５と反射鏡３６と集光レンズ３７とＣＣＤラインセンサ（密着センサ）３８などから構成されている。
【００２５】
操作部４０には、帳票の処理開始や停止を指示したり、またエラーを解除したりするための釦類が設けられている。各釦類はコントローラ３９に接続されており、各釦類が操作されることで、ユーザからの指示をコントローラ３９が受け付け、受け付けた指示に従い各部を制御する。
【００２６】
コントローラ３９は、制御ホスト１００からの指示に基づいて、各駆動部および各機構、リレーなどを制御し、帳票Ｐを処理する。なお、コントローラ３９が、ＯＣＲアプリケーションソフトウェアプログラムを実装して、制御ホスト１００を接続することなく上述した画像の認識処理を行なうようにすることも可能である。
【００２７】
給紙・搬送部５０は、ピックアップローラ３等で構成される給紙部と、ピックアップローラ３と同期ベルトで回転する上部のフィードローラ４とこのローラ４と対向配置された下部のセパレートローラ５で構成される分離部と、搬送ローラ６と、このローラ６間に配置されたセンサ７と、斜行修正機構６０とを有している。
【００２８】
ピックアップローラ３は、ＯＣＲ装置本体３０の筐体側面に設置されたホッパ２に積載された帳票ＰをＯＣＲ装置本体３０内に取り込む。フィードローラ４は、ピックアップローラ３と同方向へ回転する一方、セパレートローラ５は停止または逆転する。ピックアップローラ３により取り込まれた帳票Ｐが例えば複数枚がほぼ同時に装置内に取り込まれた場合に、分離部で上下の帳票Ｐが分離され、上の１枚だけが分離部を通過する。
【００２９】
斜行修正機構６０は、下へ向けて傾斜した搬送路６１（下り斜面）と、この搬送路６１を滑降する帳票Ｐを斜面の底部で受けてその姿勢を整える係止部６４とから構成される。搬送路６１上の帳票Ｐの有無をセンサ６３で検知し、このセンサ６３の検知結果のタイミングで、コントローラ３９により駆動部４６を制御して係止部６４を突出する。なお搬送路６１は、少なくとも帳票Ｐの搬送方向の長さよりも長く設けるものとする。搬送路６１は、例えばステンレス板などのように表面が滑りやすく傷つきにくい金属板などを利用するとよい。
【００３０】
係止部６４は、駆動部４６により駆動される回転軸６４ａと、この回転軸６４ａに突起部６４ｂとを有している。図４の突起部６４ｂは、回転軸６４ａから突設されたＬ字状のものである。突起部６４ｂは、通常、搬送路６１から出ないように突起部６４ｂを搬送方向と平行に（寝かすように）位置し、センサ６３により帳票Ｐが検出されたときに、駆動部４６により回転軸６４ａを９０度回転して、寝ていた突起部６４ｂを搬送路６１に対してほぼ直立するように突出する。この突出した突起部６４ｂに帳票Ｐの先端が当たることで、帳票Ｐの姿勢が整えられる。その後、回転軸６４ａを９０度逆転させることで、突起部６４ｂは、搬送路６１と平行した位置に戻される。
【００３１】
また係止部６４は、他の実施形態として、例えば図５に示すように、回転軸６４ｃと、この回転軸６４ｃの軸から例えば９０度の間隔で回転軸６４ｃの表面に突設された複数個の爪状の突起部６４ｄとを備えるようにしてもよい。回転軸６４ｃは、搬送路６１を横切る方向に設けられている。この場合、図４に比べて、回転軸６４ｃを９０度ずつ一方向に回転せればよいので、係止部の回転機構を簡素に構成できる。なお、突起部を搬送路上に突出させる手段としては、回転軸でなくても構わない。
【００３２】
すなわち、斜行修正機構６０は、帳票Ｐを滑降させて搬送する搬送路６１（下り斜面）と、この搬送路６１の底部に搬送路６１から出し入れ（突出・退避）自在な突起部６４ｂとを有し、この突起部６４ｂを搬送路３１に突出させることで、自重で斜面を滑降してきた帳票Ｐの姿勢を整える。
【００３３】
コントローラ３９は、光学読取部３４により帳票Ｐから読み取った画像を制御ホスト１００へ送る。コントローラ３９は、制御ホスト１００からの指示により、印字部３２を制御し帳票Ｐへの印字を行う。また、コントローラ３９は制御ホスト１００からの指示により、ソータ２０での排出制御を行う。
【００３４】
以下、図６、図７を参照して第１実施形態の帳票移動式ＯＣＲ装置の動作を説明する。
この帳票移動式ＯＣＲ装置の場合、帳票処理を開始するためにユーザが操作部４０のボタン操作を行うことにより、コントローラ３９が、この指示を受け付け、給紙動作を開始する。
【００３５】
まず、突起部６４ｂを搬送路６１と平行な位置で、ピックアップローラ３を駆動し給紙動作を行う。給紙動作では、ホッパ２に積載された帳票Ｐが、ピックアップローラ３により給紙・搬送部５０内に取り込まれ、分離部によって分離され、１枚だけが分離部を通過する。
【００３６】
分離部によって１枚に分離された帳票Ｐは、搬送ローラ６により搬送路６１へ搬送され滑降する。搬送路６１では、帳票Ｐはベルトやドライブローラなどによる他力による搬送ではなく、斜面を滑り落ちるだけの自重滑降で搬送される。そして、斜面底部の手前に設置されたセンサ６３により帳票Ｐが検出されると、コントローラ３９は、駆動部４６を制御して、係止部６４の回転軸６４ａを回転させて突起部６４ｂを搬送路３３から突出させる。
【００３７】
これにより、図７に示すように、搬送路６１を滑降してきた帳票Ｐの先端が突起部６４ｂに当たり、帳票Ｐの姿勢が整えられる。つまり搬送方向に対する帳票Ｐの傾きが修正される。
搬送路６１では、ローラ等の駆動力の影響を受けないため、薄紙でも突起部６４ｂに当たったときに、折れ曲がりやジャム、及び搬送障害が発生しなくなる。なお、帳票Ｐは斜行していなくても一旦突起部６４ｂに当たり整えられる。
【００３８】
その後、コントローラ３９は、駆動部４６を制御して回転軸６４ａを逆転、つまり帳票Ｐの搬送を邪魔しない方向に回転させて突起部６４ｂを搬送路６１と平行な位置に戻す。これにより、帳票Ｐは搬送路６１の底部の搬送ローラ８の位置まで滑降し、搬送ローラ８，１０とベルト９により光学読取部３４の方へ搬送される。
【００３９】
光学読取部３４は、水平な搬送路３３上を搬送される帳票Ｐから画像を読み取り、制御ホスト１００へ送る。そして、帳票Ｐは印字部３２へ送られる。
制御ホスト１００は、帳票Ｐの画像を認識し、その認識結果に基づいて、帳票Ｐを排出する先のスタッカ指定やナンバリングデータの印字指示が、読み取り処理された帳票毎に行われるように、コントローラ３９に指示を与える。印字部３２では、正常に画像が読み取られた帳票Ｐに対して印字した後、ソータ２０へ送られ、読み取り済みの帳票Ｐ用の指定されたスタッカ部２３に送られる。
【００４０】
このように第１実施形態によれば、光学読取部３４手前の搬送路の一部に下り方向へ傾斜した搬送路６１を設け、帳票Ｐを自重で滑降させ係止部６４に当てて帳票Ｐのアライニング、つまり帳票Ｐの斜行修正を行うので、紙厚にかかわらずジャムを起こすことなくアライニングを行うことができる。すなわち、帳票Ｐを自重滑降させる斜行修正機構６０を設けたことで、折れ曲がりやジャム、及び搬送障害を発生させずに斜行状態を平行状態に修正でき、後段の光学読取部３４で正しい方向でイメージを取得することができる。
【００４１】
次に、図８を参照して第２実施形態について説明する。なおこの第２実施形態を含め以下に示す実施形態は上記第１実施形態の変形例であり、第１実施形態と同じ構成には同一の符号を付しその説明は省略する。
【００４２】
図８に示す斜行修正機構６０は、複数の軸６６と、自由回転ローラ６７とを有している。搬送路６１を形成する枠体６５は、下り方向に所定角度で傾斜して設置されている。この枠体６５には、滑降方向と直交する方向に複数の軸６６が列設され、各軸６６には自由回転ローラ６７が回動自在に設けられている。自由回転ローラ６７は、搬送路６１（下り斜面）を帳票Ｐが搬送されやすくするためのものである。
【００４３】
続いて、この第２実施形態の動作を説明する。
第２実施形態の場合、搬送路６１に自由回転ローラ６７を設けることで、搬送路６１を低摩擦構造とし、これにより、自重落下する帳票Ｐをスムーズに滑降させる。そして、帳票Ｐが搬送路６１を滑降して底部に達する直前のセンサ６３により検出され、このタイミングで、コントローラ３９は、係止部６４の衝立を突出させる。
【００４４】
これにより、斜面を滑降した帳票Ｐは、斜面底部に設けられた係止部６４でその姿勢が搬送路６１と平行に修正される。搬送路６１では、ローラの駆動力が失われていることから、帳票Ｐが薄紙の場合に係止部６４の衝立に当たったときに自重落下のため帳票Ｐが折れ曲がったり、またジャムおよび搬送障害を発生せずに姿勢が整えられる。
【００４５】
センサ６３が帳票Ｐを検出した後、所定時間後に係止部６４の衝立を搬送路６１と平行にすることで、係止部６４の衝立に当たり停止した帳票Ｐは、搬送ローラ８，１０に引き込まれて、光学読取部３４まで搬送されて傾きの無いイメージが取得できる。
【００４６】
このようにこの第２実施形態の帳票移動式ＯＣＲ装置によれば、搬送路６１に自由回転ローラ６７を設けることで、帳票Ｐが搬送路６１をよりスムーズに滑降するので、ジャムや搬送障害を起こすことなく帳票Ｐの姿勢をより正しく整えることができる。
【００４７】
次に、図９を参照して第３実施形態について説明する。
図９に示すように、この第３実施形態の場合、斜行修正機構６０は、下り方向に所定角度で設けられたステンレス板などの金属の滑降板７０と、この滑降板７０に多数設けた開口部７１と、滑降板７０の裏面側に設けられたファン７２とを有している。
【００４８】
ファン７２は、滑降板７０に設けられた複数の開口７１を通じて下り搬送路６１を滑降する帳票Ｐに向けて送風する通風手段である。ファン７２は、滑降板７０に対して平行ではなく、送風角が開口部７１に対して鋭角となるように斜め方向に送風するように配置されている。これにより、薄紙が飛ばない程度の微風を発生させて、搬送路６１を帳票Ｐが滑降する際の帳票Ｐと斜面との摩擦を軽減している。
【００４９】
このように第３実施形態によれば、斜行修正機構６０として滑降板７０と開口７１部とファン７２を設けることで、帳票Ｐが搬送路６１を滑降する際にファン７２の送風（自重滑降する帳票Ｐが飛ばない程度の微風）で、浮揚力が生じ斜面との摩擦が軽減されるので、第２実施形態の効果と同様に下り斜面をよりスムーズに帳票Ｐを自重滑降させることができる。
【００５０】
なお、送風手段として、この例のように搬送路６１の裏側から開口部７１を通じて風を吹きかけるよう構成する以外に、例えば搬送路６１の表側にファン７２を配置して、帳票Ｐが舞い上がらない程度に上へ吸気して、下り斜面を滑降する帳票Ｐに浮揚力を持たせ滑りをよくするようにしてもよい。
【００５１】
次に、図１０乃至図１２を参照して第４実施形態について説明する。第４実施形態は、第２実施形態の変形例である。第４実施形態の場合、斜行修正機構６０は、軸６６および自由回転ローラ６７の他に側面から送風するファン７４とガイド壁７３を有している。ガイド壁７３は、下り斜面の一側縁に、垂直な壁面となるように設けられている。
【００５２】
ガイド壁７３は、小型帳票の寸法に合わせたものであり、帳票Ｐの一縁（この例では搬送方向左側の辺）をガイドする。ファン７４は、下り斜面の他の側縁からガイド壁７３の側に向けて送風するよう設けられている。
【００５３】
続いて、この第４実施形態の帳票移動式ＯＣＲ装置の動作を説明する。
第４実施形態の場合、図１１に示すように、搬送路６１の側方よりファン７４からの風圧などの力を与えて、図１２に示すように、ファン７４の反対側に設けたガイド壁７３に帳票Ｐの側辺を当てて基準合わせをする。そして、斜面底部では、側面（横方向）の基準を合わせた帳票Ｐが係止部６４に当たりも進行方向（縦方向）の姿勢が修正される。
【００５４】
搬送路６１では、ローラ等の駆動力が失われて帳票Ｐは自重落下していることから、帳票Ｐが係止部６４に当たった際に、折れ曲がりやジャムおよび搬送障害を起こすことなく帳票Ｐの姿勢を整えることができる。
このように第４実施形態によれば、帳票Ｐを自由回転ローラ６７で滑降させて斜面の底部に設けた係止部６４で整える上で、斜面を横切る方向にファン７４とガイド壁７３を設けることで、帳票Ｐの前部だけでなく帳票Ｐの側面についても位置決めでき、帳票Ｐをより正しく整えることができる。
【００５５】
次に、図１３を参照して第５実施形態について説明する。
図１３に示すように、第５実施形態は、第３実施形態と第４実施形態とを組み合わせたものである。第５実施形態の斜行修正機構６０は、開口部７１を設けた滑降板７０の下にファン７２を設けるだけなく、斜面の側方にファン７４とガイド壁７３を設けている。
【００５６】
このように第５実施形態によれば、開口部７１を設けた滑降板７０の下にファン７２を設ける一方、斜面の側方にファン７４とガイド壁７３を設けることで、帳票Ｐの前部だけでなく帳票Ｐの側面についても位置決めでき、帳票Ｐをより正しく整えることができる。つまり、第３実施形態と第４実施形態の両方の効果を得ることができる。
【００５７】
次に、図１４、図１５を参照して第６実施形態について説明する。
図１４に示すように、この第６実施形態は、上部搬送機構８０と、ソレノイドコイルなどを用いた付勢機構８１とを有している。
上部搬送機構８０は、搬送路６１を挟んで裏側に回転自在に設けられた複数のピンチローラ８３と、各ピンチローラ８３に対向配置された駆動ローラ８４とを有している。上部搬送機構８０は、センサ６３の設置位置の手前に設けられている。ピンチローラ８３の底部は、搬送路６１に接するように設けられている。
【００５８】
第６実施形態の場合、ピンチローラ８３と駆動ローラ８４とで帳票Ｐを挟みながら搬送路６１を搬送する。付勢機構８１は、上部搬送機構８０を搬送路６１に対して垂直方向に移動でき、ピンチローラ８３を駆動ローラ８４に接地または隔離するものである。センサ６３により帳票Ｐが検出された場合、付勢機構８１を制御して上部搬送機構８０を駆動ローラ８４から隔離する。
【００５９】
続いて、第６実施形態の動作を説明する。
第６実施形態の場合、斜行修正機構６０へ搬送された帳票Ｐは、ピンチローラ８３と駆動ローラ８４とで挟まれて搬送路６１を搬送される。そして、搬送路６１上を搬送された帳票Ｐがセンサ６３により検出されると、コントローラ３９は、付勢機構８１による付勢を解除するよう付勢機構８１を制御する。これにより、図１５に示すように、上部搬送機構８０が矢印Ｇ方向へ引き離されるので、駆動ローラ８４とピンチローラ８３の押圧（挟持力）がなくなり、帳票Ｐへの駆動力が失われる。
【００６０】
この状態で、係止部６４の位置まで帳票Ｐが滑降すると、係止部６４に当たり姿勢が平行に修正される。また係止部６４に当たる前に駆動力が失われて自重落下することから、帳票Ｐが係止部６４に当たった際に、折れ曲がりやジャムおよび搬送障害を起こすことなく帳票Ｐの姿勢を整えることができる。
【００６１】
このように第６実施形態によれば、上部搬送機構８０と駆動ローラ８４とで帳票Ｐを挟んで搬送し、センサ６３により検出されると、コントローラ３９は、付勢機構８１による付勢を解除する。駆動ローラ８４とピンチローラ８３の押圧がなくなり帳票Ｐへの駆動力が失われ、この時点で帳票Ｐは自重落下する。これにより、自重落下する高さが低くなるので、紙葉類の自重による負担が減り、帳票Ｐが係止部６４に当たった際に、より一層折れ曲がりやジャムおよび搬送障害を起こすことなく帳票Ｐの姿勢を整えることができる。
【００６２】
なお、本願発明は、上記実施形態のみに限定されるものではなく、実施段階ではその要旨を逸脱しない範囲で構成要素を変形してもよい。また、上記実施形態に開示されている複数の構成要素を適宜組み合わせることにより、種々の発明を構成できる。さらに、実施形態に示される全構成要素から幾つかの構成要素を削除してもよい。
【符号の説明】
【００６３】
Ｐ…帳票、１…給紙部、２…ホッパ、３…ピックアップローラ、４…フィードローラ、５…セパレートローラ、６，８，１０…搬送ローラ、７，６３…センサ、９…ベルト、２０…ソータ、２３…スタッカ部、２５…フラッパ、３０…ＯＣＲ装置本体、３３…水平搬送路、３２…印字部、３４…光学読取部、３９…コントローラ、４０…操作部、４１…ＣＰＵ、４２…メモリ、４３…インターフェース、４４〜４７…駆動部、５０…給紙・搬送部、６０…斜行修正機構、６１…傾斜搬送路（下り斜面）、６３…センサ、６４…係止部、６４ａ…回転軸、６４ｂ…突起部、６４ｃ…回転ローラ、６４ｄ…係止爪、７０…滑降版、７１…開口、７２，７４…ファン、７３…ガイド壁、８０…上部搬送機構、８１…付勢機構、８２…台、８３…ピンチローラ。
【図１】
2010208830.tif 000003
【図２】
2010208830.tif 000004
【図３】
2010208830.tif 000005
【図４】
2010208830.tif 000006
【図５】
2010208830.tif 000007
【図６】
2010208830.tif 000008
【図７】
2010208830.tif 000009
【図８】
2010208830.tif 000010
【図９】
2010208830.tif 000011
【図１０】
2010208830.tif 000012
【図１１】
2010208830.tif 000013
【図１２】
2010208830.tif 000014
【図１３】
2010208830.tif 000015
【図１４】
2010208830.tif 000016
【図１５】
2010208830.tif 000017